【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
複数のレーザーポンプに配置された複数のレーザーダイオード素子を含むレーザーダイオードシステムにおいて、故障したレーザーダイオード素子または故障したレーザーポンプをコンピューティングデバイスで検出する工程と、
前記検出後、前記コンピューティングデバイスを用いてエンコードキーを受信する工程と、
少なくとも一部は前記エンコードキーに基づいて、前記レーザーダイオードシステム内の前記故障したレーザーダイオード素子または前記故障したレーザーポンプを、前記コンピューティングデバイスを用いて無効化する工程と、
前記故障したレーザーダイオード素子または前記故障したレーザーポンプを無効化する工程の後、前記コンピューティングデバイスを用いて、前記レーザーダイオードシステムを再較正する工程とを含み、
前記故障したレーザーダイオード素子または前記故障したレーザーポンプは、第１のレーザーダイオード素子または第１のレーザーポンプを含み、
他のレーザーダイオード素子またはレーザーポンプは、第２のレーザーダイオード素子または第２のレーザーポンプを含み、
前記再較正されたレーザーダイオードシステムは、前記第２のレーザーダイオード素子または前記第２のレーザーポンプのみを使用して、パワー出力信号を生成するように構成されていることを特徴とする方法。
【請求項２】
前記コンピューティングデバイスを用いて前記エンコードキーを認証する工程と、
少なくとも一部は前記認証工程に基づいて、前記レーザーダイオードシステム内の前記第１のレーザーダイオード素子または前記第１のレーザーポンプを、前記コンピューティングデバイスを用いて無効化する工程と、をさらに含む請求項１に記載の方法。
【請求項３】
前記コンピューティングデバイスを用いて前記レーザーダイオードシステム内の前記第１のレーザーダイオード素子または前記第１のレーザーポンプを無効化するリクエストを受信する工程と、
少なくとも一部は前記リクエストに基づいて、前記レーザーダイオードシステム内の前記第１のレーザーダイオード素子または前記第１のレーザーポンプを無効化する工程と、をさらに含む請求項１に記載の方法。
【請求項４】
前記リクエストにおいて、前記第１のレーザーダイオード素子または前記第１のレーザーポンプの特定を前記コンピューティングデバイスで受信する工程をさらに含む請求項３に記載の方法。
【請求項５】
前記パワー出力信号は、減少したパワー出力信号を含む請求項１に記載の方法。
【請求項６】
少なくとも一部はエンコードキーを認証する工程の失敗に基づいて、前記レーザーダイオードシステムへのアクセスを拒否する工程をさらに含む請求項１に記載の方法。
【請求項７】
複数のレーザーダイオードドライバおよび対応する複数のレーザーダイオード素子を含む複数のレーザーポンプと、
前記複数のレーザーダイオード素子に電気的に結合され、前記複数のレーザーポンプのそれぞれの出力を合成して、合成出力光を生成する結合器と、
コントローラーと、を含み、
前記複数のレーザーダイオードドライバの各々は、前記複数のレーザーダイオード素子の少なくとも２つに電力を供給するために電気的に結合され、
前記コントローラーは、故障したレーザーポンプまたは故障したレーザーダイオード素子を特定し、
前記コントローラーへのアクセスを得るためにエンコードキーを受信し、
少なくとも一部は前記エンコードキーの認証に基づいて、前記故障したレーザーポンプまたは前記故障したレーザーダイオード素子を無効化し、
前記故障したレーザーダイオード素子または前記故障したレーザーポンプを動作不能にするために、前記レーザーダイオードシステムを再較正し、
前記再較正されたレーザーダイオードシステムは、前記レーザーダイオード素子のサブセットのみまたは前記レーザーポンプのサブセットのみを使用して、パワー出力信号を生成するように構成されていることを特徴とするレーザーダイオードシステム。
【請求項８】
前記パワー出力信号は、減少したパワー出力信号を含む請求項７に記載のレーザーダイオードシステム。
【請求項９】
前記レーザーダイオードシステムを再較正することは、少なくとも一部は前記故障したレーザーポンプまたは前記故障したレーザーダイオード素子に基づいて、前記結合器を再較正することを含む請求項７に記載のレーザーダイオードシステム。
【請求項１０】
前記レーザーダイオードシステムを再較正することは、前記故障したレーザーダイオードドライバの数または前記故障したレーザーダイオード素子の数に比例してパワー出力を低減することを含む請求項７に記載のレーザーダイオードシステム。
【請求項１１】
前記複数のレーザーダイオードドライバの各々は、対応する電源を含み、
前記コントローラーは、故障した電源を特定する請求項７に記載のレーザーダイオードシステム。
【請求項１２】
前記コントローラーは、少なくとも一部は前記エンコードキーを認証することができないことに基づいて、前記レーザーダイオードシステムへのアクセスをさらに拒否する請求項７に記載のレーザーダイオードシステム。
【請求項１３】
前記コントローラーは、前記故障したレーザーダイオードドライバまたは前記故障したレーザーダイオード素子をさらに追跡する請求項７に記載のレーザーダイオードシステム。
【請求項１４】
複数のレーザーダイオードドライバおよび対応する複数のレーザーダイオード素子を含む複数のレーザーポンプと、
故障したレーザーポンプまたは故障したレーザーダイオード素子を特定し、少なくとも一部は前記故障したレーザーポンプまたは前記故障したレーザーダイオード素子を特定することに基づいて、前記故障したレーザーポンプまたは前記故障したレーザーダイオード素子を自動的に無効化し、前記故障したレーザーダイオード素子または前記故障したレーザーポンプを動作不能にするためにレーザーダイオードシステムを再較正するコントローラーと、を有し、
前記再較正されたレーザーダイオードシステムは、前記レーザーダイオード素子のサブセットのみまたは前記レーザーポンプのサブセットのみを使用して、パワー出力信号を生成するように構成され、
前記複数のレーザーダイオードドライバの各々は、前記複数のレーザーダイオード素子の少なくとも２つに電力を供給するために電気的に結合されていることを特徴とするレーザーダイオードシステム。
【請求項１５】
前記複数のレーザーダイオード素子に電気的に結合され、前記複数のレーザーポンプの各々の出力を合成して、合成出力光を生成する結合器をさらに有する請求項１４に記載のレーザーダイオードシステム。
【請求項１６】
前記複数のレーザーダイオードドライバから出力される複数のレーザー素子出力信号の出力レベルを増加させるために、前記複数のポンプに電気的に結合された複数のゲイン素子をさらに含む請求項１４に記載のレーザーダイオードシステム。
【請求項１７】
前記コントローラーは、少なくとも一部はエンコードセキュリティキーのデコードに基づいて、前記故障したレーザーポンプまたは前記故障したレーザーダイオード素子を自動的に無効にする請求項１４に記載のレーザーダイオードシステム。
【請求項１８】
前記コントローラー、少なくとも一部は前記エンコードセキュリティキーに基づいて、前記レーザーダイオードシステムへのアクセスを拒否する請求項１７に記載のレーザーダイオードシステム。
【請求項１９】
前記パワー出力信号は、減少したパワー出力信号を含む請求項１４に記載のレーザーダイオードシステム。
【請求項２０】
前記故障したレーザーダイオード素子または前記故障したレーザーポンプを動作不能にするために前記レーザーダイオードシステムを再較正することは、前記減少したパワー出力信号と関連する低減した光に基づいて、前記レーザーダイオードシステムの１または複数の光センサーを再較正することをさらに含む請求項１９に記載のレーザーダイオードシステム。